(57)【要約】【課題】従来のガススプリング上に設けた座受金具に、座ロッキング金具および背ロッキング金具を同一の座受けシャフトにより回動可能に支持され、座ロッキング金具および背ロッキング金具の端部が同一のロッキングばねによりそれぞればね力によりロッキング可能に支持された椅子用ロッキング装置によると、可動座受部材および可動背受部材の可動範囲が少なく、共に充分なロッキング量が確保できず、また、ガススプリングのストローク量が少なくない。【解決手段】座ロッキング金具および背ロッキング金具を支持する座受シャフトをガススプリングの中心線上およびそれより前方寄りに位置させ、ロッキングばねを座ロッキング金具および背ロッキング金具のそれぞれの下方に位置させたことを特徴とする。【選択図】        図１
2004344592.tif 000002
【特許請求の範囲】
【請求項１】
ガススプリング上に設けた座受金具に、座ロッキング金具および背ロッキング金具を同一の座受けシャフトにより回動可能に支持され、座ロッキング金具および背ロッキング金具の端部が同一のロッキングばねによりそれぞればね力によりロッキング可能に支持された椅子用ロッキング装置において、座ロッキング金具および背ロッキング金具を支持する座受シャフトをガススプリングの中心線上およびそれより前方寄りに位置させ、ロッキングばねを座ロッキング金具および背ロッキング金具のそれぞれの下方に位置させたことを特徴とする椅子用ロッキング装置。
【請求項２】
請求項１において、座ロッキング金具の下面前部に前傾クッションを設けたことを特徴とする椅子用ロッキング装置。
【発明の詳細な説明】
【０００１】
【発明の属する技術分野】
本発明は、座が前傾可能で、かつ背が後傾可能となる椅子のロッキング装置に関する。
【０００２】
【従来の技術】
座が前傾可能でしかも背が後傾可能となる椅子のロッキング装置の従来技術を以下に図面を用いて説明する。
【０００３】
脚柱１０１の上部に設けた座受本体１０２に、座１０３を保持する可動座受部材１０４と背のフレーム１０５を保持する可動背受部材１０６とを共通の支軸１０７を介して回動可能に支持する。
【０００４】
上記可動座受部材１０４の後部には、ばね保持軸１０８が下向きに突設されている。このばね保持軸１０８の下部には下方係止部１０９が取り付けてあり、この下方係止部１０９と座受本体１０２の上側に位置する可動座受部材１０４との間にばね１１０が介装されている。
【０００５】
上記座受本体１０２は有底箱形状であり、この座受本体１０２に支軸１０７を脚柱１０１の縦軸線と整合させて設け、可動座受部材１０４に座受本体１０２内に収容される下方係止部１０９があり、可動背受部材１０６にばね保持軸１０８を座受本体１０２の底部を貫通させて上向きに突設し、座受本体１０２内に一端がばね保持軸１０８の上方係止部１１１と係止しかつ他端が可動座受部材１０４の下方係止部１０９と係止したばね１１０を収容し、可動座受部材１０４の後方部をばね力によって座受本体１０２に上向きに押圧して係止してある（例えば、特許文献１参照。）。
【０００６】
【特許文献１】
特開平１０ー１９２０７９号公報
【０００７】
【発明が解決しようとする課題】
このような従来技術によると、ばねの長さが座受本体の高さ（深さ）で決まってしまい、その座受本体内にばねを設けるために、可動座受部材および可動背受部材の可動範囲が少なく、共に充分な移動量（ロッキング量）が確保できないという問題がある。
【０００８】
また、脚柱上端と可動座受部材の距離が座受本体の高さ（深さ）によって決まってしまうために、可動座受部材の座面の位置が高くなってしまう問題があり、その高さを低くしようとすると脚柱の高さを低くする必要があり、それを低くすると上下調整用のガススプリングのストローク量が少なくなってしまうという問題がある。
【０００９】
さらに、可動座受部材および可動背受部材の回動支点からばねまでの距離も座受本体内に限られるために充分な距離がとれず、これも可動座受部材および可動背受部材の可動範囲が少なく、共に充分な移動量（ロッキング量）が確保できないという問題がある。
【００１０】
【課題を解決するための手段】
そこで本発明は、ガススプリング上に設けた座受金具に、座ロッキング金具および背ロッキング金具を同一の座受けシャフトにより回動可能に支持され、座ロッキング金具および背ロッキング金具の端部が同一のロッキングばねによりそれぞればね力によりロッキング可能に支持された椅子用ロッキング装置において、座ロッキング金具および背ロッキング金具を支持する座受シャフトをガススプリングの中心線上およびそれより前方寄りに位置させ、ロッキングばねを座ロッキング金具および背ロッキング金具のそれぞれの下方に位置させたことを特徴とする。
【００１１】
【発明の実施の形態】
以下に本発明の実施の形態例を図面を用いて説明する。
【００１２】
図１は全体説明図、図２は分解説明図、図３は可動座受部材の前傾動作の説明図、図４は可動背受部材の後傾動作の説明図である。
【００１３】
図において、１は図示しない下部の脚と上部の座を連結する支柱となるガススプリングである。
【００１４】
このガススプリング１の上部には座受カバー３が取り付けてあり、ガススプリング１の上部を座受金具４に接続すると共にこの座受カバー３でその座受金具４との接続部を覆う。ガススプリング１はガスレバー２により上下の調整が行われ、座の高さを決める。
【００１５】
この座受金具４に対して座受シャフト５を介して座ロッキング金具６が回動可能に取り付けてあり、この座ロッキング金具６に座７が取り付けてある。
【００１６】
なお、上記座受シャフト５は、本実施の形態例ではガススプリング１の中心線上に位置させているが、それより前方寄りに位置させてもよいが後方側は好ましくない。
【００１７】
８は座ロッキング金具６の前部下面に取り付けた前傾クッションであり、この前傾クッション８が、ロッキング時に座ロッキング金具６が前方に傾斜したときに座受金具４の前部上面に当接して当接のショックをやわらげ、当接音の発生も防ぐ。
【００１８】
さらに、座受金具４の後部上面に取り付けた連結ブリッジ９には合成樹脂製の当たり止め１０が取り付けてあり、ロッキング時に座ロッキング金具６が後方に傾いたときに連結ブリッジ９に当接するときの当接音の発生を防ぐ。
【００１９】
１１は背パイプであり、上部に背取り付け金具１２を介して背１３と背カバー１４が取り付けられ、下端には背ロッキング金具１５が取り付けてある。
【００２０】
この背ロッキング金具１５の端部には上記座受シャフト５に回動可能に係止するように係止部１６が形成されている。
【００２１】
１７、１８はそれぞれ当たり止めであり、当たり止め１７は背パイプ１１のロッキング時に座受金具４に背ロッキング金具１５が当接するときの当接音の発生を防ぎ、当たり止め１８は背パイプ１１のロッキングの戻り時に背パイプ１１が連結ブリッジ９に当接するときの当接音の発生を防ぐ。
【００２２】
１９はロッキングボルトである。このロッキングボルト１９を、上記座受金具４、座ロッキング金具６および背パイプ１１に取り付けた背ロッキング金具１５のそれぞれ端部に設けた前後方向に長孔状の通孔２０、２１および２２に座ロッキング金具６側から通し、その頭１９ａで座ロッキング金具６の通孔２１から抜けないようにしてある。
【００２３】
さらに、そのロッキングボルト１９の下方から合成樹脂製のばね受け材２３、ロッキングばね２４、ばね受けワッシャ２５およびロッキングハンドル２６を嵌め、係止ねじ２７で全一体に係止する。これによって、ロッキングばね２４の上端はばね受け材２３を介して背パイプ１１に取り付けた背ロッキング金具１５の下面に当接する。２８はロッキングハンドル２６の抜け止めねじであり、ロッキングボルト１９の下端に螺合する。
【００２４】
このロッキングばね２４の上端が背ロッキング金具１５の下面に当接している状態は、図示する如く、背パイプ１１に取り付けた背ロッキング金具１５にロッキングばね２４の上端が当接する付近は背パイプ１１が後方に向けて多少上方に向けて上がるように傾斜させてあり、その傾斜角度だけロッキングばね２４は下端が後方に傾くように設置されている。
【００２５】
これによって、背ロッキングを作動させて背パイプ１１が座受シャフト５を中心にして円弧運動をしてロッキングばね２４（ロッキングハンドル）がガススプリング１に近付いても当接してしまうことがない。したがって、ロッキングばね２４の長さを充分に設定することができ、たっぷりしたロッキング量が得られることになる。
【００２６】
さらに、ロッキングボルト１９の取り付け位置を、座受金具４および座ロッキング金具６のそれぞれ後部にして座受シャフト５から充分の距離を離すことにより、これによっても、円弧運動をしてロッキングばね２４（ロッキングハンドル）がガススプリング１に近付いても当接してしまうことがなく、ロッキングばね２４の長さを充分に設定することができることになり、なめらかでしかもたっぷりしたロッキング感が得られることになる。
【００２７】
なお、上記背パイプ１１の傾斜を、図示する如く、背パイプ１１を座７の下部で曲げて傾斜させないで水平状態とした場合には、ばね受け材２３を楔状の傾斜のある形状にして背パイプ１１に後方に向けて傾斜するように取り付け、その傾斜によってロッキングばね２４の下端が後方に傾くように取り付ける。
【００２８】
なお、ロッキングハンドル２６は、ロッキングばね２４のカバーも兼ねるように深くしてある。
【００２９】
上記ロッキングハンドル２６を回転させることにより、ばねの長さを変化させて弾発力を調節することができ、それにより座ロッキングおよび背ロッキングのロッキング具合を調節する。
【００３０】
２９は上記座７に下方から取り付けて座ロッキング金具６を覆う座カバーであり、上記背パイプ１１がロッキングするときに邪魔にならないように開口３０があけてあり、そこからロッキングハンドル２６やガスレバー２を突出させる。３１は背パイプ１１の基部の下部を覆う背パイプ下カバーであり、ばね受け材２３に係止しており、上記開口３０内に納まっている。３２は背パイプ１１の基部の上部を覆う背パイプ上カバーであり、その先部を座ロッキング金具６の後端に回動可能に取り付け、後部は自由端となっており、常に背パイプ１１面に接触するようになっている。
【００３１】
なお、上記本実施の形態例では肘を付けていないが、肘を付ける場合には座ロッキング金具に肘受け金具を取り付け、その肘受け金具の両側に左右の肘を取り付ければよい。
【００３２】
以上の構成によるロッキング装置の作用を以下に説明する。
【００３３】
本発明のロッキングには座のロッキングと背のロッキングの二つのロッキング作用がある。
【００３４】
まず、座のロッキングは、座７に座って座７の前部に体重をかけると、座７を取り付けた座ロッキング金具６が図３に鎖線で示す如く、座受シャフト５を支点として回動する。その回動によってロッキングボルト１９を引き上げ、それによってロッキングハンドル２６を介してロッキングばね２４を下方から上方に圧縮することになり、体重のかかる度合いに応じたロッキングばね２４の圧縮量となり、これによって発力のきいたロッキング作用が得られる。
【００３５】
さらに、上記の如く、ロッキング時に座ロッキング金具６が前方に傾斜したときに前傾クッション８が、座受金具４の前部上面に当接することになり当接のショックをやわらげ、当接音の発生も防ぐ。
【００３６】
さらに、座ロッキング金具６が後方に傾いたときに連結ブリッジ９の当たり止め１０に当接して当接音の発生を防ぐ。
【００３７】
つぎに、背のロッキングは、座７に座って背中を背１３にもたれかけると、図４に鎖線で示す如く、背パイプ１１は背ロッキング金具１５が係止部１６によって座受シャフト５を支点として回動する。その回動によって支持されているロッキングばね２４を上方から下方に押し付けて圧縮することになり、これによって発力のきいたロッキング作用が得られる。
【００３８】
この際、図示する如く、ロッキングばね２４は背パイプ１１によって押し下げられて圧縮に伴って座受シャフト５を支点として円弧運動をし、ロッキングハンドル２６の下端がガススプリング１側に長孔状の通孔２０、２１、２２に沿って移動するが、座受シャフト５とロッキングばね２４間に充分な距離があるためにガススプリング１に当接するようなことはない。
【００３９】
よって、充分な長さのロッキングばね２４とすることができ、座受シャフト５とロッキングばね２４間の充分な距離とによって従来に比べてたっぷりしたストローク量のロッキング作用が得られることになる。
【００４０】
さらに、上記の如く、当たり止め１７によって背パイプ１１のロッキング時に座受金具４に背ロッキング金具１５が当接するときの当接音の発生を防ぎ、当たり止め１８によって背パイプ１１のロッキングの戻り時に背パイプ１１の端部が連結ブリッジ９に当接するときの当接音の発生を防いで、ロッキング時の雑音の発生をなくしている。
【００４１】
なお、以上の説明は説明上、座のロッキングと背のロッキングを別々に説明を行ったが、使用に際しては、上記の両ロッキング作用は同時に行われる場合があり、例えば身体を伸ばして座と背にもたれ掛かることにより座と背は同時にロッキングでき、また、ばね力は増大するがさらにそれぞれのロッキング作用を各当たり止めに当接するまでは行わせることが可能であり、両ロッキング作用が固定した状態のシーソー状にはなりにくいものである。
【００４２】
【発明の効果】
以上詳細に説明した本発明によると、座ロッキング金具および背ロッキング金具を支持する座受シャフトをガススプリングの中心線上およびそれより前方寄りに位置させ、ロッキングばねを座ロッキング金具および背ロッキング金具のそれぞれの下方に配置したことにより、座ロッキングと背ロッキングの支点となる座受シャフトとロッキングばねとの距離を長く設定することが可能となり、それにより、座ロッキングと背ロッキングのロッキング量をたっぷりとることができる。
【００４３】
さらに、ロッキングばねとガススプリングとの距離が長いために、ロッキング時にロッキングばねが移動してもガススプリングに当たるおそれがなく、そのためにロッキングばねを長くすることが可能となり、これによっても二つのロッキングのロッキング量をたっぷりとることができる。
【００４４】
このロッキングばねを長くすることができることにより、ロッキングばねのばねの発力の強弱調節幅を大きくとることが可能となる。
【００４５】
さらに、ロッキングばねを下方から圧縮してロッキング作用を得る構造であるためにバネの片つぶれをなくすことができる効果を有する。
【００４６】
また、ロッキングばねを座ロッキング金具および背ロッキング金具の下方に配置したことにより、座とガススプリング上端との間を狭くすることができ、これによって座面を低くすることができる結果、ガススプリングの上下調節量（ガススプリングのストローク量）を大きくすることが可能となり、座の高さの設定許容量を大きくとることができることになる。
【図面の簡単な説明】
【図１】全体説明図
【図２】分解説明図
【図３】可動座受部材の前傾動作の説明図
【図４】可動背受部材の後傾動作の説明図
【図５】従来例の要部説明図
【図６】従来例の座ロッキングの説明図
【図７】従来例の背ロッキングの説明図
【符号の簡単な説明】
１  ガススプリング
２  ガスレバー
３  座受カバー
４  座受金具
５  座受シャフト
６  座ロッキング金具
７  座
８  前傾クッション
９  連結ブリッジ
１０  当たり止め
１１  背パイプ
１２  背取り付け金具
１３  背
１４  背カバー
１５  背ロッキング金具
１６  係止部
１７、１８  当たり止め
１９  ロッキングボルト
２０、２１、２２  通孔
２３  ばね受け材
２４  ロッキングばね
２５  ばね受けワッシャ
２６  ロッキングハンドル
２７  係止ねじ
２８  抜け止めねじ
２９  座カバー
３０  開口
３１  背パイプ下カバー
３２  背パイプ上カバー
【図１】
2004344592.tif 000003
【図２】
2004344592.tif 000004
【図３】
2004344592.tif 000005
【図４】
2004344592.tif 000006
【図５】
2004344592.tif 000007
【図６】
2004344592.tif 000008
【図７】
2004344592.tif 000009